(57)【要約】【課題】  本発明の課題は１本の帯に４種類の文様を配置することにより、帯結びが４倍になる。またコストを半分以下に低減させ販売価格を低廉化し、和装普及の増大をはかる。【解決手段】  本発明は帯の表側に２文様を配し、裏側に別の２文様を配置する。方法は表側の２文様を（Ａ）および（Ｂ）とする、一方の端末から「たれ（Ａ）」、「たいこ（Ａ）」を全幅に、「はら（片方）（Ａ）」を片側に配置し、他方の端末から「たれ（Ｂ）」、「たれ（Ｂ）」を全幅に、「はら（片方）（Ｂ）」を異なる片半分に配置すれば、「おたいこ型」帯結びの場合に（Ａ）文様の帯姿と（Ｂ）文様の帯姿が選択できるような形態をもつ帯である。同様に裏側に（Ｃ）文様、（Ｄ）文様に配置すれば（Ｃ）文様の帯姿と（Ｄ）文様の帯姿が選択できるような形態をもつ帯である。すなはち、１本の帯で４つの文様の帯結びができるような形態をもつ帯である。【選択図】図１
2008121176.tif 000002
【特許請求の範囲】
【請求項１】
帯の表地および裏地の両端から「たれ」、「たいこ」、「はらの片方」の文様系列を、「飛柄」または「連続柄」の文様配列を向かい合わせに配置することにより、一本の帯に表２種、裏２種の４種類の文様を同居させる。「て」の文様は省略する。着用する場合は、その４種の文様の中から任意に一つの文様を選び「おたいこ型」の帯結びに結べる、従って１本の帯で４つの文様を使うことが出来る。この方式の形態をもつ帯又はこれに類する形態をもつ帯を特許請求の範囲とする。
【発明の詳細な説明】
【技術分野】
【０００１】  帯において４種類の文様をそれぞれ独立して帯結びができる、帯全長を総合文様とする複合型の文様配置をする形態の技術である。
【背景技術】
【０００２】
【特許文献１】特許「絵画織」（特許第１９４０４５６号）の製織技術技法を活用する。
【発明が解決しようとする課題】
【０００３】  従来の帯は表側に一つの文様系列「たれ」、「たいこ」、「はら」、「て」の４ヶ所に文様を独立又は連続して配置している。従って一つの文様の帯結びしかできなかった。  本発明の帯は表側と裏側にそれぞれ二つの文様系列、計４つの配置する方法です。その二つの文様をそれぞれ両端末から「たれ」、「たいこ」、「片側のはら」を独立又は連続に並べ、それぞれの「はら」を結ぶ中心を点対称に配置する。その結果、「おたいこ結び」型の帯結びでは、任意に選んだ端末文様が相手の端末文様に干渉されないで、選んだ文様だけの帯結びができる帯の製造法である。  帯の表側および裏側に同様な処理することにより、４通りの異なる文様による「おたいこ型」の帯結びができるという合理的な着用方法をもつ発明である。
【課題を解決するための手段】
【０００４】  ４通りの文様配置をそれぞれ配置できる方式を可能にするために、帯全長の柄情報を編集して織物情報に変換し、一つの織物データとしてジャカード機に出力するソフトを開発する。
【発明の効果】
【０００５】  日本固有のキモノ文化は衰退の方向にある。その１因に帯の高額化がある。本発明が普及すると、１本で４種の帯柄が使えるために、一つの文様あたりのコストが半減以下になる。したがってキモノ普及に大きな貢献が期待できる。
【発明を実施するための最良の形態】
【０００６】  キモノ学院での普及教育、百貨店・小売店等での宣伝販売等が考えられる。
【実施例】
【０００７】  百貨店での店頭宣伝販売を行う。
【産業上の利用可能性】
【０００８】  和装産業の振興に寄与できる。
【図面の簡単な説明】
【０００８】  袋帯等の表側および裏側の文様配置図  文様  （Ａ），（Ｂ）、（Ｃ），（Ｄ）の４種類を配置する。
【符号の説明】
【０００９】［図１］表側  １．  たれ（Ａ）  ２．  たいこ（Ａ）  ３．  はら（Ａ）  ４．  たれ（Ｂ）  ５．  たいこ（Ｂ）  ６．  はら（Ｂ）［図２］裏側  ７．  たれ（Ｃ）  ８．  たいこ（Ｃ）  ９．  はら（Ｃ）  １０．  たれ（Ｄ）  １１．  たいこ（Ｄ）  １２．  はら（Ｄ）
【図１】
2008121176.tif 000003
【図２】
2008121176.tif 000004
【手続補正書】
【提出日】平成19年1月29日(2007.1.29)
【手続補正１】
【補正対象書類名】明細書
【補正対象項目名】全文
【補正方法】変更
【補正の内容】
【発明の詳細な説明】
【技術分野】
【０００１】  帯において４種類の文様をそれぞれ独立して帯結びができる、帯全長を総合文様とする複合型の文様配置をする形態の技術である。
【背景技術】
【０００２】
【特許文献１】特許「絵画織」（特許第１９４０４５６号）の製織技術技法を活用する。
【発明が解決しようとする課題】
【０００３】  従来の帯は表側に一つの文様系列「たれ」、「たいこ」、「はら」、「て」の４ヶ所に文様を独立又は連続して配置している。従って一つの文様の帯結びしかできなかった。  本発明の帯は表側と裏側にそれぞれ二つの文様系列、計４つの配置する方法です。その二つの文様をそれぞれ両端末から「たれ」、「たいこ」、「片側のはら」を独立又は連続に並べ、それぞれの「はら」を結ぶ中心を点対称に配置する。その結果、「おたいこ結び」型の帯結びでは、任意に選んだ端末文様が相手の端末文様に干渉されないで、選んだ文様だけの帯結びができる帯の製造法である。  帯の表側および裏側に同様な処理することにより、４通りの異なる文様による「おたいこ型」の帯結びができるという合理的な着用方法をもつ発明である。
【課題を解決するための手段】
【０００４】  ４通りの文様配置をそれぞれ配置できる方式を可能にするために、帯全長の柄情報を編集して織物情報に変換し、一つの織物データとしてジャカード機に出力するソフトを開発する。
【発明の効果】
【０００５】  日本固有のキモノ文化は衰退の方向にある。その１因に帯の高額化がある。本発明が普及すると、１本で４種の帯柄が使えるために、一つの文様あたりのコストが半減以下になる。したがってキモノ普及に大きな貢献が期待できる。
【発明を実施するための最良の形態】
【０００６】  キモノ学院での普及教育、百貨店・小売店等での宣伝販売等が考えられる。
【実施例】
【０００７】  百貨店での店頭宣伝販売を行う。
【産業上の利用可能性】
【０００８】  和装産業の振興に寄与できる。
【図面の簡単な説明】
【０００９】
【図１】平面図による袋帯等の表側の文様配置図
【図２】平面図による袋帯等の裏側の文様配置図文様  （Ａ），（Ｂ）、（Ｃ），（Ｄ）の４種類を配置する。
【符号の説明】
【００１０】  ［図１］平面図      １．  表側の「たれ」（Ａ）      ２．  表側の「たいこ」（Ａ）      ３．  表側の「はら」（Ａ）      ４．  表側の「たれ」（Ｂ）      ５．  表側の「たいこ」（Ｂ）      ６．  表側の「はら」（Ｂ）  ［図２］平面図      ７．  裏側の「たれ」（Ｃ）      ８．  裏側の「たいこ」（Ｃ）      ９．  裏側の「はら」（Ｃ）      １０．    裏側の「たれ」（Ｄ）      １１．    裏側の「たいこ」（Ｄ）      １２．    裏側の「はら」（Ｄ）
【手続補正２】
【補正対象書類名】図面
【補正対象項目名】全図
【補正方法】変更
【補正の内容】
【図１】
2008121176.tif 000005
【図２】
2008121176.tif 000006